(57)【要約】【課題】容器において温度を維持する機能を高めることにより、保冷状態又は保温状態の布帛を収容した場合に、保冷／保温効果を持続させることができるとともに、布帛をすぐに使用可能とする、布帛収容体を提供する。【解決手段】布帛収容体１は、携帯型の断熱容器２と、断熱容器２に挿入可能な柱状の挿入部材４と、挿入部材４を覆った状態で断熱容器２に収容される布帛３と、を備え、挿入部材４は、冷却材又は発熱材である芯材４１を備える。【選択図】図２
0003220974.tif 000002
【実用新案登録請求の範囲】
【請求項１】
携帯型の断熱容器と、
前記断熱容器に挿入可能な柱状の挿入部材と、
前記挿入部材を覆った状態で前記断熱容器に収容される布帛と、を備える、布帛収容体であって、
前記挿入部材は、冷却材又は発熱材である芯材を備える、布帛収容体。
【請求項２】
前記断熱容器は、真空二重構造で形成される、請求項１に記載の布帛収容体。
【請求項３】
前記挿入部材は、前記芯材と、前記芯材を内包する芯材ケースと、で構成される、請求項１又は請求項２に記載の布帛収容体。
【請求項４】
前記芯材ケースはシリコーンエラストマー製である、請求項３に記載の布帛収容体。
【請求項５】
前記布帛は、前記挿入部材の側面に巻き付けた状態で前記断熱容器に収容される、請求項１から請求項４の何れか１項に記載の布帛収容体。
【請求項６】
前記布帛が木綿タオルである、請求項１から請求項５の何れか１項に記載の布帛収容体。
【請求項７】
前記布帛は、一辺が１９ｃｍから３６ｃｍまでの矩形に形成される、請求項１から請求項６の何れか１項に記載の布帛収容体。
【請求項８】
前記断熱容器は、体積が２６０ｃｍ３から５４０ｃｍ３で形成される、請求項１から請求項７の何れか１項に記載の布帛収容体。
【請求項９】
前記挿入部材は、体積が４０ｃｍ３から１５０ｃｍ３で形成される、請求項１から請求項８の何れか１項に記載の布帛収容体。
【請求項１０】
前記断熱容器に吊下げ部が形成される、請求項１から請求項９の何れか１項に記載の布帛収容体。
【請求項１１】
前記挿入部材の底面は、前記断熱容器の内周底面における中央部に着脱可能とされる、請求項１から請求項１０の何れか１項に記載の布帛収容体。
【考案の詳細な説明】
【技術分野】
【０００１】
本考案は、保冷状態又は保温状態でタオルやハンカチ等の布帛を収容した布帛収容体に関する。
【背景技術】
【０００２】
従来、タオル等の布帛を保冷状態又は保温状態で持ち運ぶための容器が提案されている（例えば、特許文献１を参照）。
【先行技術文献】
【特許文献】
【０００３】
【特許文献１】実公平４−１７１１４号公報
【考案の概要】
【考案が解決しようとする課題】
【０００４】
上述の従来技術文献に記載の容器は温度を維持する機能が小さいため、例えば冷やしたタオルを収容した場合でも炎天下ではすぐに保冷効果が失われるという問題があった。また、当該容器はタオルを取り出す際にタオル巻き取り部をその都度取り外さなくてはならず、タオルをすぐに使用できないという問題があった。
【０００５】
本考案は、上述の課題に鑑みてなされたものであり、容器において温度を維持する機能を高めることにより、保冷状態又は保温状態の布帛を収容した場合に、保冷／保温効果を持続させることができるとともに、布帛をすぐに使用可能とする、布帛収容体を提供することを目的としている。
【課題を解決するための手段】
【０００６】
本考案は、前述の課題解決のために、以下の布帛収容体を構成した。
【０００７】
（１）携帯型の断熱容器と、前記断熱容器に挿入可能な柱状の挿入部材と、前記挿入部材を覆った状態で前記断熱容器に収容される布帛と、を備える、布帛収容体であって、前記挿入部材は、冷却材又は発熱材である芯材を備える、布帛収容体。
【０００８】
（２）前記断熱容器は、真空二重構造で形成される、（１）に記載の布帛収容体。
【０００９】
（３）前記挿入部材は、前記芯材と、前記芯材を内包する芯材ケースと、で構成される、（１）又は（２）に記載の布帛収容体。
【００１０】
（４）前記芯材ケースはシリコーンエラストマー製である、（３）に記載の布帛収容体。
【００１１】
（５）前記布帛は、前記挿入部材の側面に巻き付けた状態で前記断熱容器に収容される、（１）から（４）の何れか一に記載の布帛収容体。
【００１２】
（６）前記布帛が木綿タオルである、（１）から（５）の何れか一に記載の布帛収容体。
【００１３】
（７）前記布帛は、一辺が１９ｃｍから３６ｃｍまでの矩形に形成される、（１）から（６）の何れか一に記載の布帛収容体。
【００１４】
（８）前記断熱容器は、体積が２６０ｃｍ３から５４０ｃｍ３で形成される、（１）から（７）の何れか一に記載の布帛収容体。
【００１５】
（９）前記挿入部材は、体積が４０ｃｍ３から１５０ｃｍ３で形成される、（１）から（８）の何れか一に記載の布帛収容体。
【００１６】
（１０）前記断熱容器に吊下げ部が形成される、（１）から（９）の何れか一に記載の布帛収容体。
【００１７】
（１１）前記挿入部材の底面は、前記断熱容器の内周底面における中央部に着脱可能とされる、（１）から（１０）の何れか一に記載の布帛収容体。
【考案の効果】
【００１８】
本考案に係る布帛収容体によれば、容器において温度を維持する機能を高めることにより、保冷状態又は保温状態の布帛を収容した場合に、保冷／保温効果を持続させることができるとともに、布帛をすぐに使用することが可能となる。
【図面の簡単な説明】
【００１９】
【図１】本考案の一実施形態に係る布帛収容体を示す斜視図。
【図２】布帛収容体の断面図。
【図３】布帛収容体の分解図。
【考案を実施するための形態】
【００２０】
以下、本考案の一実施形態に係る布帛収容体１を図１から図３に基づいて説明する。図１に示す如く、布帛収容体１は、携帯型の断熱容器２と、断熱容器２に挿入可能な柱状の挿入部材４と、挿入部材４を覆った状態で断熱容器２に収容される布帛３と、を備える。
【００２１】
断熱容器２は、一方が開口する円筒状の容器である本体部２ａと、本体部２ａの開口部を閉塞可能な蓋部２ｂとで構成される。図２に示す如く、本体部２ａは断熱構造であるステンレス真空二重構造で形成された容器である。なお、本体部２ａにおける断熱構造として、ガラス真空二重構造又は中空構造を採用することも可能である。但し、断熱効果、強度、意匠性という点で、本実施形態の如くステンレス真空二重構造を採用することが最も好適である。また、二重構造で形成した容器の内部（二重の側板及び底板の間）に、発泡樹脂又は不織布で構成した断熱材を収容した断熱構造を採用することも可能である。
【００２２】
断熱容器２は、携帯性及び収納性という観点より、体積が２６０ｃｍ３から５４０ｃｍ３で形成されることが望ましい。特に、携帯しやすさという観点より、高さを１２ｃｍ〜２１ｃｍ、半径を３．５ｃｍ〜７ｃｍとして円筒形に形成することが望ましい。断熱容器２の蓋部２ｂには吊り下げ部を形成しても良い。これにより、吊り下げ部を介して布帛収容体１を衣服やバッグに吊り下げられる他、布帛収容体１の使用者が吊り下げ部を把持することが可能となる。断熱容器２の蓋部２ｂについても、断熱性の確保という観点より、空気断熱又は真空断熱を用いた断熱構造、又は、断熱材を用いた断熱構造で構成することが好ましい。
【００２３】
図２及び図３に示す如く、挿入部材４は、冷却材である芯材４１と、芯材４１を内包する芯材ケース４２と、で構成される。収納性と冷却効果、流通性という点で、挿入部材４の体積は４０ｃｍ３から１５０ｃｍ３で形成されることが望ましい。
【００２４】
本実施形態に係る芯材４１は、保冷剤、ペルチェ素子、吸熱反応を生じさせるための硝酸アンモニウム、ドライアイス、液体窒素等を採用することができる。また、芯材４１に保冷剤を採用する場合は、高吸水性ポリマー、増粘多糖類、ＣＭＣ、ＲＯ水等を用いることが可能である。この際、保冷時間と価格の点で、高吸水性ポリマーを保冷剤として採用することが望ましい。保冷剤には、０℃で凍る冷凍ゲルタイプ、０℃で凍らない不凍ゲルタイプ、０℃でシャーベット状になるシャーベットタイプがあるが、冷却性能と低価格という点で冷凍ゲルタイプが望ましい。
【００２５】
本実施形態において、芯材４１は保冷剤が収容された矩形の袋が屈曲されて用いられる。保冷剤を収容する袋の寸法は、縦５ｃｍ〜１０ｃｍ、横１０ｃｍ〜１２ｃｍが望ましい。
【００２６】
図３に示す如く、本実施形態において芯材ケース４２の外形は、断熱容器２の本体部２ａの内形状よりも軸方向長さの短い円柱状に形成される。なお、芯材ケース４２の形状は芯材４１を内方できるものであれば何でもよく、円柱状の他に、球状、角柱状等の形状を採用することも可能である。芯材ケース４２の体積は、断熱容器２への収納性という観点で、断熱容器２の収納部体積に対して１／１０〜１／３とすることが望ましい。
【００２７】
芯材ケース４２の材質は、シリコーンエラストマー、アクリル系エラストマー、オレフィン系エラストマー、ポリプロピレン、ポリエチレン、ポリスチレン、ポリカーボネート、ポリアセタール、ＰＥＴ，ポリ乳酸、鉄、アルミ、ガラス等何でも良いが、低温性能、耐衝撃性、人体安全性、耐熱性という理由でシリコーンエラストマーが最も望ましい。
【００２８】
本実施形態に係る布帛収容体１においては図１から図３に示す如く、布帛３は挿入部材４の側面に巻き付けた状態で断熱容器２に収容される。布帛３を構成する生地は木綿、紙等の天然繊維、又は、ポリエステル等の化学繊維を採用することができる。布帛３はおしぼりとして地肌に触れて使用されることが多いため、安全性という点で天然繊維を採用することが望ましい。
【００２９】
布帛３としては、タオル、ハンカチ、ウエス等が採用される。布帛３として使い捨てのウェットティッシュや不織布を採用することも可能である。冷却効果と吸水性という観点からは、布帛３として木綿タオルを採用することが望ましい。布帛３のサイズは、断熱容器２における収納性、顔面を覆う範囲、流通性という理由で縦１９ｃｍ〜３６ｃｍ、横１９ｃｍ〜３６ｃｍに形成された矩形のハンドタオルを採用することが望ましい。
【００３０】
布帛収容体１を使用する際に、布帛３は吸水状態と乾燥状態とのうちどちらで使用しても良いが、冷感効果を高めるためには吸水状態で使用することが望ましい。布帛３を織物で構成する場合、その織り方は平織り、綾織、朱子織、ジャカード織、パイル織、模紗織、クロス織、ワッフル織、リブ織等何でも良い。吸水性と肌触りの観点からは、布帛３をパイル織またはワッフル織で構成することが望ましい。
【００３１】
上記の如く、本実施形態に係る布帛収容体１は、冷却材である芯材４１を備えた挿入部材４を布帛３で覆った状態で断熱容器２に収容している。このため、布帛収容体１においては布帛３を低温で維持することができる。即ち、布帛収容体１を炎天下で使用した場合でも、布帛３の保冷効果を持続させることが可能となる。
【００３２】
本実施形態において、布帛３は使用後に断熱容器２に入れる事で再度冷却される。このように、本実施形態に係る布帛収容体１においては、断熱容器２によって、冷却剤の冷却効果を長時間維持する構成としている。
【００３３】
また、布帛３は挿入部材４の側面に巻き付けた状態で断熱容器２に収容されている。このため、布帛３を断熱容器２から取り出す際に、挿入部材４を断熱容器２に留めさせて、布帛３のみを取り出すことができる。このため、布帛３を断熱容器２に収容する際は、図２に示す如く布帛３の上端部が挿入部材４よりも高く位置することが好ましい。
【００３４】
なお、挿入部材４の底面を、断熱容器２の内周底面における中央部に着脱可能に構成することも可能である。これにより、布帛３を断熱容器２から取り出す際に、挿入部材４を断熱容器２に留めさせて、布帛３のみを取り出すことができる。
【００３５】
本実施形態において、芯材４１は布帛３を冷却するための構成とされているが、芯材４１として発熱材を用いることにより、布帛３を温める構成とすることも可能である。即ち、芯材４１を酸化鉄、アルミ＋酸化カルシウム、ペルチェ素子、ゲル化剤等、熱を発生させる構成とすることにより、布帛収容体１において布帛３を高い温度（５０度から７０度程度）で維持することができる。即ち、布帛収容体１を寒冷な状況で使用した場合でも、布帛３の保温効果を持続させることが可能となる。
【００３６】
このように、本実施形態に係る布帛収容体１は、冷却材又は発熱材である芯材４１を備える挿入部材４を断熱容器２の内部に収容して、断熱容器２において温度を維持する機能を高める構成としている。これにより、保冷状態又は保温状態の布帛３で挿入部材４を覆って断熱容器２に収容した場合に、布帛３の保冷／保温効果を持続させることができる。また、布帛収容体１においては、布帛３を挿入部材４に巻き付けた状態で断熱容器２に収容して取り出しやすくすることにより、布帛３をすぐに使用可能とすることができる。
【符号の説明】
【００３７】
１    布帛収容体                   ２    断熱容器               
２ａ  本体部                       ２ｂ  蓋部                   
３    タオル（布帛）               ４    挿入部材               
４１    芯材                       ４２    芯材ケース             
【図１】
0003220974.tif 000003
【図２】
0003220974.tif 000004
【図３】
0003220974.tif 000005